(57)【要約】  この発明は、薄膜キャパシタの放電時の安定定電圧出力を安価な構成で行うことが可能な薄膜キャパシタ放電装置を提供する。  この薄膜キャパシタ放電装置は、直流回路に用いられる薄膜キャパシタの放電を行うものであって、薄膜キャパシタより電圧下降しながらの直流電流を受けて一時的に電荷を蓄積しＤＣ／ＤＣインバータにベース電圧のある状態で直流電流を供給するハイブリッド式で薄膜キャパシタ蓄電量が完全になくなるまで放電効果を有することを特徴とする。
2012001811.tif 000002
【特許請求の範囲】
【請求項１】
直流回路に用いられる薄膜キャパシタの放電を行う薄膜キャパシタ放電装置であって、
薄膜キャパシタより電圧下降しながらの直流電流を受けて一時的に電荷を蓄積しＤＣ／ＤＣインバータにベース電圧のある状態で直流電流を供給するハイブリッド式で薄膜キャパシタ蓄電量が完全になくなるまで放電効果を有することを特徴とする薄膜キャパシタ放電装置。
【発明の詳細な説明】
【技術分野】
【０００１】
本発明は、薄膜キャパシタ放電装置に関する。
【背景技術】
【０００２】
薄膜キャパシタは、電極材と誘電体との界面に形成される集電体に蓄積される電気エネルギーを利用するもので、数千ファラッドオーダの電気容量を瞬時に充放電できる大容量コンデンサである。
用途としては、メモリバックアップ用の小容量品から、電気自動車のパワーアシスト用としての中容量品、そして電気自動車のパワー供給などの電力貯蔵用蓄電池代替としての大容量品まで幅広く利用可能である。【０００３】
このような薄膜キャパシタの単位キャパシタ（セルともいう）の耐電圧は、その構成要素である誘電体、すなわち電子とホールを分離する絶縁体の耐電圧で決まり、材質、薄膜厚さ、均一度等に依存し、例えば、チタン酸バリウム系誘電体の場合約２００Ｖである。
なお、薄膜キャパシタは、誘電体の耐電圧以上の電圧を印加すると破損する虞があるため、高電圧を要求される用途においては、複数個の単位キャパシタを直列接続して用いる。【０００４】
前出のように単体あるいは複合して蓄電された電荷を放電する場合、高速で放電するのでそのまま放電すれば図３のＡ薄型キャパシタ出力で示す下降形に放電を行う。
これを平坦な出力とするためにインバータを用いるがキャパシタ出力が閾値より低下すれば変換を行えなくなる。
そのため閾値をあげるために少なくとも閾値と同等以上の容量を擁するキャパシタをハイブリッド的に付設して平滑化を行うことにより蓄電キャパシタの蓄電量が０になるまで放電を可能とする。
一般ではキャパシタの充放電に関する技術としては、例えば特許文献１に開示されたものがある。
【特許文献１】特開２００４−２１５３３２号公報
【発明の開示】
【発明が解決しようとする課題】
【０００５】
薄膜キャパシタの放電を行う際、図１に示すように薄膜キャパシタとインバータとを直接接続すると、インバータの閾値以下の電流では変換が行われなく、無効に放電してしまう状況にあった。【０００６】
本発明は、薄膜キャパシタの放電時に蓄電量が０となるまでインバータの平滑変換を有効に行うに際し、安価な構成で行うことが可能な薄膜キャパシタ放電装置を提供することを目的とする。
【課題を解決するための手段】
【０００７】
上記の課題を解決するため請求項１に係る発明では、
直流回路に用いられる薄膜キャパシタの放電を行う薄膜キャパシタ放電装置であって、薄膜キャパシタより電圧下降しながらの直流電流を受けて一時的に電荷を蓄積しＤＣ／ＤＣインバータにベース電圧のある状態で直流電流を供給するハイブリッド式で薄膜キャパシタ蓄電量が完全になくなるまで放電効果を有する薄膜キャパシタ放電装置とした。
【発明の効果】
【０００８】
薄膜キャパシタより電圧下降しながらの直流電流を受けて一時的に電荷を蓄積しＤＣ／ＤＣインバータにベース電圧のある状態で直流電流を供給するハイブリッド式であり、薄膜キャパシタ蓄電量が完全になくなるまで放電効果を有するので、直流回路に用いられる薄膜キャパシタの放電時の安定定電圧出力を安価な構成で長く行うことができる。
【図面の簡単な説明】
【０００９】
【図１】薄膜キャパシタ放電装置の補助キャパシタを付設しない状態の回路図である。
【図２】本実施例の薄膜キャパシタ放電装置の概略を示す回路図である。
【図３】補助キャパシタを付設しない場合と付設した場合のインバータ変換の状態を比較したグラフである。
【符号の説明】
【００１０】
１      薄膜キャパシタ放電装置の回路図
２      薄膜キャパシタ
３      補助キャパシタ
４      ＤＣ／ＤＣインバータ
ＳＷ１  操作スイッチ
【発明を実施するための最良の形態】
【００１１】
以下、本発明に係る薄膜キャパシタ放電装置の好適な実施の形態について、以下に示す実施例により詳細に説明する。
【実施例１】
【００１２】
本発明の実施の形態を図２に基づいて説明する。
図１は、前述のように、薄膜キャパシタ２とＤＣ／ＤＣインバータ４とを直接接続した回路であり、インバータの閾値以下の電流では変換が行われなく、効果的に放電することができない状況にあった。
図中、符号ＳＷ１は操作スイッチである。【００１３】
図２は本実施例に係る薄膜キャパシタ放電装置の概略を示す回路図１であって、薄膜キャパシタ２の放電に際し、補助キャパシタ３を付設し、薄膜キャパシタ２の蓄電量が０になるまでインバータ変換を行うものである。
図中、符号４はＤＣ／ＤＣインバータであり、ＳＷ１は操作スイッチである。【００１４】
図３は、前記補助キャパシタ３を付設しない場合のままのインバータ変換の状態と、補助キャパシタ３を付設した本実施例のインバータ変換の状態を比較したものである。【００１５】
これにより本実施例のように補助キャパシタ３を付設することで、付設しない場合に比べて一層長く薄膜キャパシタ蓄電量が完全になくなるまで安定定電圧出力による放電効果を有することが確認できた。【００１６】
これは、薄膜キャパシタ２より電圧下降しながらの直流電流を受けて一時的に電荷を蓄積しＤＣ／ＤＣインバータ４にベース電圧のある状態で直流電流を供給する薄膜キャパシタ蓄電量が完全になくなるまで放電効果を有するからである。
この発明は上記実施例に限定されるものではなく、その要旨を変更しない範囲で種々設計変更しうる。
【図１】
2012001811.tif 000003
【図２】
2012001811.tif 000004
【図３】
2012001811.tif 000005
【手続補正書】
【提出日】平成24年6月6日(2012.6.6)
【手続補正１】
【補正対象書類名】特許請求の範囲
【補正対象項目名】全文
【補正方法】変更
【補正の内容】
【特許請求の範囲】
【請求項１】
直流回路に用いられる薄膜キャパシタの放電を行う薄膜キャパシタ放電装置であって、
薄膜キャパシタより電圧下降しながらの直流電流を受けて一時的に電荷を蓄積しＤＣ／ＤＣインバータにベース電圧のある状態で直流電流を供給するハイブリッド式で薄膜キャパシタ蓄電量がなくなるまで放電効果を有することを特徴とする薄膜キャパシタ放電装置。
【請求項２】
薄膜キャパシタの放電に際し、補助キャパシタを付設し、薄膜キャパシタの蓄電量がなくなるまでインバータ変換を行うことを特徴とする請求項１に記載の薄膜キャパシタ放電装置。
【手続補正２】
【補正対象書類名】明細書
【補正対象項目名】０００７
【補正方法】変更
【補正の内容】
【０００７】
上記の課題を解決するため請求項１に係る発明では、
直流回路に用いられる薄膜キャパシタの放電を行う薄膜キャパシタ放電装置であって、薄膜キャパシタより電圧下降しながらの直流電流を受けて一時的に電荷を蓄積しＤＣ／ＤＣインバータにベース電圧のある状態で直流電流を供給するハイブリッド式で薄膜キャパシタ蓄電量がなくなるまで放電効果を有する薄膜キャパシタ放電装置とした。
請求項２の発明では、
前記薄膜キャパシタの放電に際し、補助キャパシタを付設し、薄膜キャパシタの蓄電量がなくなるまでインバータ変換を行うことを特徴とする。
【手続補正３】
【補正対象書類名】明細書
【補正対象項目名】０００８
【補正方法】変更
【補正の内容】
【０００８】
薄膜キャパシタより電圧下降しながらの直流電流を受けて一時的に電荷を蓄積しＤＣ／ＤＣインバータにベース電圧のある状態で直流電流を供給するハイブリッド式であり、薄膜キャパシタ蓄電量がなくなるまで放電効果を有するので、直流回路に用いられる薄膜キャパシタの放電時の安定定電圧出力を安価な構成で長く行うことができる。
【手続補正４】
【補正対象書類名】明細書
【補正対象項目名】００１５
【補正方法】変更
【補正の内容】
【００１５】
これにより本実施例のように補助キャパシタ３を付設することで、付設しない場合に比べて一層長く薄膜キャパシタ蓄電量がなくなるまで安定定電圧出力による放電効果を有することが確認できた。
【手続補正５】
【補正対象書類名】明細書
【補正対象項目名】００１６
【補正方法】変更
【補正の内容】
【００１６】
これは、薄膜キャパシタ２より電圧下降しながらの直流電流を受けて一時的に電荷を蓄積しＤＣ／ＤＣインバータ４にベース電圧のある状態で直流電流を供給する薄膜キャパシタ蓄電量がなくなるまで放電効果を有するからである。
この発明は上記実施例に限定されるものではなく、その要旨を変更しない範囲で種々設計変更しうる。
【国際調査報告】
2012001811.tif 000006
2012001811.tif 000007